【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
データーを処理するためのシステムであって、
少なくとも１つの計算デバイスを備え、
前記計算デバイスは、
クライアント・デバイスとの第１の接続および少なくとも１つのグラフィクス計算デバイスとの第２の接続を確立するステップであって、前記第１の接続は、前記クライアント・デバイスに割り当てられたリモート・セッションに前記クライアント・デバイスを接続する、ステップと、
前記クライアント・デバイスが前記少なくとも１つのグラフィクス計算デバイスへの第３の接続を確立するのを可能にするために、前記少なくとも１つのグラフィクス計算デバイスを示す情報を前記クライアント・デバイスに提供するステップであって、前記第３の接続は、前記第１の接続を介して前記クライアント・デバイスから受信されたデーターに応答して、前記クライアント・デバイスへエンコードされたグラフィクス・データーを伝送するように適合される、ステップと、
前記第１の接続を介して前記クライアント・デバイスからデーターを受信するステップと、
前記クライアント・デバイスから受信された前記データーを、前記リモート・セッションのランタイム環境内で実行されるアプリケーションによって処理するステップと、
前記受信されたデーターに応答して前記アプリケーションによって発行された表示コールデーターを、前記第２の接続を介して前記少なくとも１つのグラフィクス計算デバイスへ送信するステップであって、前記表示コールデーターは、前記少なくとも１つのグラフィクス計算デバイスによって前記第３の接続を介して前記クライアント・デバイスへ送信されるグラフィクス・データーを生成するのに用いられる、ステップと、
を少なくとも行うように構成される、
システム。
【請求項２】
前記少なくとも１つの計算デバイスは、少なくとも１つの仮想機械内にインスタンス化される、請求項１に記載のシステム。
【請求項３】
前記少なくとも１つのグラフィクス計算デバイスは、少なくとも１つの仮想化機械上の少なくとも１つのパーティション内にインスタンス化される、請求項１に記載のシステム。
【請求項４】
前記クライアント・デバイスと前記少なくとも１つのグラフィクス計算デバイスとの前記第３の接続を確立するステップは、前記少なくとも１つの計算デバイスと前記少なくとも１つのグラフィクス計算デバイスの負荷均衡を行うステップを含む、請求項１に記載のシステム。
【請求項５】
前記少なくとも１つのグラフィクス計算デバイスのうちの１または複数のグラフィクス計算デバイスは、多数のクライアント・デバイスに対応するグラフィクス・データーを１つのクライアント・デバイスへ送信するように構成される、請求項１に記載のシステム。
【請求項６】
グラフィクス・データーを処理するための方法であって、
複数の計算デバイスと複数のクライアント・デバイスとの間に第１の接続を確立し、前記複数の計算デバイスと複数のグラフィクス・デバイスとの間に第２の接続を確立するステップと、
前記複数の計算デバイスに、前記複数のグラフィクス・デバイスのうちの対応する１つとの第３の接続を確立するよう命令するステップであって、前記第３の接続は、前記第１の接続を介して前記複数のクライアント・デバイスから受信されたデーターに応答して、前記複数のクライアント・デバイスへエンコードされたグラフィクス・データーを伝送するように適合される、ステップと、
前記複数の計算デバイスによって、前記第１の接続を介して前記複数のクライアント・デバイスからデーターを受信するステップと、
前記受信されたデーターを処理するステップと、
前記第２の接続を介して前記複数のグラフィクス・デバイスへ表示コールデーターを送信するステップであって、前記表示コールデーターは、前記受信されたデーターに応答してアプリケーションによって発行され、前記アプリケーションは、前記複数のクライアント・デバイスのうちのそれぞれのクライアント・デバイスに対して割り当てられたリモート・セッションのランタイム環境内で実行される、ステップと、
前記処理されたデーターを用いてグラフィクス・データーを生成し、前記生成されたグラフィクス・データーを前記第３の接続を介して前記複数のクライアント・デバイスへ送信するように、前記複数のグラフィクス・デバイスに命令するステップと、
を含む方法。
【請求項７】
前記複数の計算デバイスは、複数の仮想機械内にインスタンス化され、前記複数のグラフィクス・デバイスは、前記複数の計算デバイスと同じ複数の物理計算デバイス上の複数のパーティション内にインスタンス化される、請求項６に記載の方法。
【請求項８】
前記複数の計算デバイスは、前記複数のクライアント・デバイスとの複数のリモート・デスクトップ・セッションを実行しており、前記グラフィクス・データーは、ユーザーのリモート・デスクトップ・セッションの少なくとも一部のグラフィクス表現を含む、請求項７に記載の方法。
【請求項９】
前記複数の計算デバイスと前記複数のクライアント・デバイスとの間に前記第１の接続を確立し、前記複数の計算デバイスと前記複数のグラフィクス・デバイスとの間に前記第２の接続を確立するステップは、複数のクライアント・デバイス・アドレスを取得して前記取得された複数のクライアント・デバイス・アドレスを前記複数のグラフィクス・デバイスに供給するステップと、複数のグラフィクス・デバイス・アドレスを取得して前記取得された複数のグラフィクス・デバイス・アドレスを前記複数のクライアント・デバイスに供給するステップと、前記複数のクライアント・デバイスおよび前記複数のグラフィクス・デバイスに、前記供給されたアドレスを用いて第３の接続を確立するよう命令するステップと、を含む、請求項６に記載の方法。
【請求項１０】
命令が格納されたコンピューター読み取り可能記憶デバイスであって、前記命令は、１または複数のプロセッサーによって実行されると、前記１または複数のプロセッサーに、
複数の計算デバイスと複数のリモート・クライアント・コンピューターとの間に第１の接続を確立し、前記複数の計算デバイスと複数のグラフィクス計算デバイスとの間に第２の接続を確立するステップと、
前記複数のリモート・クライアント・コンピューターのそれぞれが前記複数のグラフィクス計算デバイスのうちの対応する１つとの同時の第３の接続を確立することを可能にする情報を前記複数のリモート・クライアント・コンピューターへ送信するステップであって、前記同時の第３の接続のそれぞれは、前記第１の接続を介して前記複数のリモート・クライアント・コンピューターから受信されたデーターに応答して、前記複数のリモート・クライアント・コンピューターへエンコードされたグラフィクス・データーを伝送するように適合される、ステップと、
前記第１の接続を介して前記複数のリモート・クライアント・コンピューターによるデーターを受信するステップと、
前記受信されたデーターを処理するステップと、
前記第２の接続を介して前記複数のグラフィクス計算デバイスへ表示コールデーターを送信するステップであって、前記表示コールデーターは、前記受信されたデーターに応答してアプリケーションによって発行され、前記アプリケーションは、前記複数のリモート・クライアント・デバイスのうちのそれぞれのリモート・クライアント・デバイスに対して割り当てられたリモート・セッションのランタイム環境内で実行される、ステップと、
前記処理されたデーターを用いてグラフィクス・データーを生成し、前記生成されたグラフィクス・データーを、前記複数のリモート・クライアント・コンピューターのそれぞれによって確立された前記同時の第３の接続を介して前記複数のリモート・クライアント・コンピューターへ送信するように、前記複数のグラフィクス計算デバイスに命令するステップと、
を実施させる、コンピューター読み取り可能記憶デバイス。